(57)【要約】画像閲覧システム（１）は、画像データを送信する画像送信部を有する第一携帯端末（１０１）と、当該画像データを閲覧することが可能な携帯端末を特定するための閲覧可能端末ＩＤを画像サーバに送信するＩＤ送信部（２１２）と、送信側携帯端末により送信された画像データが閲覧可能な状態、または、閲覧不可能な状態であることを示す閲覧許可情報と閲覧可能端末ＩＤとを取得する取得部（１５１）と、閲覧許可情報および閲覧可能端末ＩＤを記憶するサーバ側記憶部（１５２）とを有する画像サーバ（１０３）と、画像データを受信する第一受信部（１３５）と、当該画像データが閲覧可能か否かの問い合わせを画像サーバに対して行う問い合わせ部（１３２）とを有する第二携帯端末（１０２）と、を備える。
2013179654.tif 000002
【特許請求の範囲】
【請求項１】
画像データを送信する画像送信部を有する送信側携帯端末と、
前記画像データに対応して設定される閲覧可能端末ＩＤであって、当該画像データを閲覧することが可能な携帯端末を特定するための閲覧可能端末ＩＤを画像サーバに送信するＩＤ送信部と、
前記送信側携帯端末により送信された画像データが閲覧可能な状態、または、閲覧不可能な状態であることを示す閲覧許可情報と、前記ＩＤ送信部により送信された閲覧可能端末ＩＤとを取得する取得部と、前記取得部により取得された閲覧許可情報および閲覧可能端末ＩＤを記憶するサーバ側記憶部とを有する前記画像サーバと、
送信された前記画像データを受信する第一受信部と、当該画像データが閲覧可能か否かの問い合わせを前記画像サーバに対して行う問い合わせ部とを有する受信側携帯端末と、を備える
画像閲覧システム。
【請求項２】
前記受信側携帯端末は、さらに、
小型ディスプレイと、
利用者により選択された前記画像データが示す画像を前記小型ディスプレイに表示させるための予め定められた入力を受け付ける受信側入力受付部と、
前記受信側入力受付部により受け付けられた予め定められた入力により選択された画像を、前記問い合わせの結果に応じて前記小型ディスプレイへの表示を制御する表示制御部と、を有し、
前記問い合わせ部は、前記入力により選択された画像データについての前記問い合わせを行い、
前記表示制御部は、
当該画像データが当該受信側携帯端末により閲覧可能であることを前記問い合わせの結果が示す場合に、当該画像データが示す画像を前記小型ディスプレイに表示させ、
当該画像データが当該受信側携帯端末により閲覧不可能であることを前記問い合わせの結果が示す場合に、当該画像データが示す画像を前記小型ディスプレイに表示させない
請求項１に記載の画像閲覧システム。
【請求項３】
前記受信側携帯端末は、さらに、
前記第一受信部により受信された画像データと、前記問い合わせ部が行った当該画像データについての前記問い合わせの結果とを記憶する端末側記憶部を有し、
前記表示制御部は、前記受信側携帯端末がネットワークに接続されていない場合であって、前記受信側入力受付部が前記予め定められた入力を受け付けた場合、当該予め定められた入力により選択された前記画像データが示す画像を、前記端末側記憶部に記憶されている当該画像データについての前記問い合わせの結果のうちの最新の結果に応じて前記小型ディスプレイへの表示を制御する
請求項２に記載の画像閲覧システム。
【請求項４】
前記画像サーバは、さらに、
前記取得部が前記問い合わせ部による問い合わせを取得した場合、
当該問い合わせの対象となる画像データに対応する閲覧許可情報が閲覧可能な状態であることを示し、かつ、当該問い合わせを行った受信側携帯端末の端末ＩＤが当該画像データに対応する閲覧可能端末ＩＤに含まれているときに、前記問い合わせに対して当該画像データが閲覧可能であることを示す問い合わせ結果を当該受信側携帯端末に送信し、
当該問い合わせの対象となる画像データに対応する閲覧許可情報が閲覧不可能な状態であることを示す、または、当該問い合わせを行った受信側携帯端末の端末ＩＤが当該画像データに対応する閲覧可能端末ＩＤに含まれていないときに、前記問い合わせに対して当該画像データが閲覧不可能であることを示す問い合わせ結果を当該受信側携帯端末に送信する問い合わせ結果送信部を有する
請求項１から３のいずれか１項に記載の画像閲覧システム。
【請求項５】
前記送信側携帯端末は、さらに、
利用者の入力を受け付ける送信側入力受付部と、
前記送信側入力受付部により受け付けられた入力に基づいて、前記閲覧許可情報によって設定されている画像データの状態を一方の状態から他方の状態へと変更するための変更情報を送信する変更情報送信部と、を有し、
前記取得部は、前記変更情報をさらに取得し、
前記画像サーバは、さらに、
前記取得部が前記変更情報を取得した場合、前記取得部により取得された変更情報に対応する閲覧許可情報に設定されている画像データの状態を一方の状態から他方の状態へと変更する閲覧許可変更部を有する
請求項１から４のいずれか１項に記載の画像閲覧システム。
【請求項６】
前記画像送信部は、前記画像データを前記画像サーバに送信し、
前記第一受信部は、前記送信側携帯端末により送信された画像データを、前記画像サーバを介して受信する
請求項１から５のいずれか１項に記載の画像閲覧システム。
【請求項７】
前記画像送信部は、前記画像データを前記受信側携帯端末に送信し、
前記第一受信部は、前記送信側携帯端末により送信された画像データを直接受信する
請求項１から５のいずれか１項に記載の画像閲覧システム。
【請求項８】
前記送信側携帯端末は、さらに、
前記画像データが示す画像が公開可能な画像であるか否かを判定する判定部と、
前記判定部による判定結果が公開可能である場合に、当該画像データに対応する閲覧許可情報が示す状態を閲覧可能に設定し、前記判定部による判定結果が公開不可能である場合に、当該画像データに対応する閲覧許可情報が示す状態を閲覧不可能に設定する閲覧許可設定部と、を有し、
前記画像送信部は、さらに、前記閲覧許可設定部により設定された当該画像データに対応する閲覧許可情報を送信する
請求項１から７のいずれか１項に記載の画像閲覧システム。
【請求項９】
前記ＩＤ送信部は、前記送信側携帯端末、前記受信側携帯端末、および前記画像サーバとは独立した装置に設けられ、
前記独立した装置は、さらに、
前記送信側携帯端末により送信された画像データと、当該画像データに対応する閲覧許可情報とを受信する第二受信部を有し、
前記ＩＤ送信部は、前記第二受信部が受信した閲覧許可情報の状態が閲覧不可能である場合に、当該閲覧許可情報に対応する画像データを送信しない
請求項８に記載の画像閲覧システム。
【請求項１０】
前記送信側携帯端末は、さらに、
前記画像データのうちで利用者に選択された前記画像データが示す画像を送信するためのフリック入力を受け付ける送信側入力受付部を有し、
前記判定部は、前記画像データに対するフリック入力について、当該フリック入力にかかるタッチがされていることが検出されている領域の数に応じて前記画像データが公開可能な画像であるか否かを判定する
請求項８または９に記載の画像閲覧システム。
【請求項１１】
前記判定部は、前記画像データが示す画像における鮮鋭度の高い領域が第一所定割合を超える場合に、当該画像が公開可能な画像であると判定し、前記画像データが示す画像における鮮鋭度の高い領域が前記第一所定割合以下の場合に、当該画像が公開不可能な画像であると判定する
請求項８から１０のいずれか１項に記載の画像閲覧システム。
【請求項１２】
前記判定部は、前記画像データが示す画像のうちの少なくとも一部の画像が予め指定された画像にマッチングする場合に、当該画像が公開可能な画像であると判定し、前記画像データが示す画像が前記予め指定された画像にマッチングしない場合に、当該画像が公開不可能な画像であると判定する
請求項８から１１のいずれか１項に記載の画像閲覧システム。
【請求項１３】
前記画像サーバは、さらに、前記画像データを記憶する
請求項１から１２のいずれか１項に記載の画像閲覧システム。
【請求項１４】
前記ＩＤ送信部は、前記送信側携帯端末、前記受信側携帯端末、および前記画像サーバとは独立した装置に設けられる
請求項１から１３のいずれか１項に記載の画像閲覧システム。
【請求項１５】
前記独立した装置は、さらに、
前記送信側携帯端末により送信された画像データを受信する第二受信部を有し、
前記ＩＤ送信部は、前記第二受信部が画像データを受信したときに、ネットワークを介して前記独立した装置に接続されている全ての携帯端末の端末ＩＤを、前記閲覧可能端末ＩＤとして、前記画像サーバに送信する
請求項１４に記載の画像閲覧システム。
【請求項１６】
前記送信側携帯端末は、さらに、前記ＩＤ送信部を有する
請求項１から１３のいずれか１項に記載の画像閲覧システム。
【請求項１７】
請求項１に記載の画像閲覧システムの受信側携帯端末であって、
送信された前記画像データを受信する第一受信部と、
当該画像データが閲覧可能か否かの問い合わせを前記画像サーバに対して行う問い合わせ部と、を備える
受信側携帯端末。
【請求項１８】
請求項１に記載の画像閲覧システムの前記画像サーバであって、
前記送信側携帯端末により送信された画像データが閲覧可能な状態、または、画像データが閲覧不可能な状態であることを示す閲覧許可情報と、前記ＩＤ送信部により送信された閲覧可能端末ＩＤと、を取得する取得部と、
前記取得部により取得された閲覧許可情報および閲覧可能端末ＩＤを記憶するサーバ側記憶部と、
前記問い合わせ部による問い合わせを受けた場合、
当該問い合わせの対象となる画像データに対応する閲覧許可情報が閲覧可能な状態であることを示し、かつ、当該問い合わせを行った受信側携帯端末の端末ＩＤが当該画像データに対応する閲覧可能端末ＩＤに含まれているときに、前記問い合わせに対して当該画像データが閲覧可能であることを示す問い合わせ結果を当該受信側携帯端末に送信し、
当該問い合わせの対象となる画像データに対応する閲覧許可情報が閲覧不可能な状態であることを示す、または、当該問い合わせを行った受信側携帯端末の端末ＩＤが当該画像データに対応する閲覧可能端末ＩＤに含まれていないときに、前記問い合わせに対して当該画像データが閲覧不可能であることを示す問い合わせ結果を当該受信側携帯端末に送信する問い合わせ結果送信部と、を備える
画像サーバ。
【請求項１９】
ネットワークによって互いに接続される、送信側携帯端末と、受信側携帯端末と、ＩＤ送信部と、画像サーバとにより構成される画像閲覧システムの画像閲覧方法であって、
前記送信側携帯端末が画像データを送信する画像送信ステップと、
前記画像データに対応して設定される閲覧可能端末ＩＤであって、当該画像データを閲覧することが可能な携帯端末を特定するための閲覧可能端末ＩＤを、前記ＩＤ送信部が前記画像サーバに送信するＩＤ送信ステップと、
前記画像送信ステップにおいて送信された画像データが閲覧可能な状態、または、画像データが閲覧不可能な状態であることを示す閲覧許可情報と、前記ＩＤ送信部により送信された閲覧可能端末ＩＤと、を、前記画像サーバが取得する取得ステップと、
前記取得ステップにおいて取得した閲覧許可情報および閲覧可能端末ＩＤを、前記画像サーバが記憶する記憶ステップと、
前記画像送信ステップにおいて送信された画像データを前記受信側携帯端末が受信する受信ステップと、
前記画像送信ステップにおいて送信された画像データが閲覧可能か否かの問い合わせを前記画像サーバに対して前記受信側携帯端末が行う問い合わせステップと、を含む
画像閲覧方法。
【発明の詳細な説明】
【技術分野】
【０００１】
本発明は、携帯端末に保存されている画像を複数の携帯端末で共有するための画像閲覧システムに関する
【背景技術】
【０００２】
近年、いわゆるスマートフォンと呼ばれる携帯端末が非常に普及してきた。スマートフォンは、単なる電話機能を有するだけではなく、カメラによる撮影や画像の鑑賞など、従来、パソコン等で行われてきたことができ、このようなパソコン等で行われてきたことがすべてスマートフォン上で行う風潮となった。【０００３】
従来、デジタル画像の撮影および鑑賞においては、利用者は、デジタル画像の撮影をデジタルカメラで行い、撮影されたデジタル画像の鑑賞をパソコンのディスプレイで行っていた。しかし、大きなディスプレイと高性能カメラとを併せ持つスマートフォンでは、撮影および鑑賞の両方をスマートフォン一台で行うことができる。このように、スマートフォンでは、デジタル画像をカメラからパソコンへ移し換える動作が必要ないため、その手軽さが支持され、多くの人がデジタル画像の撮影および鑑賞をスマートフォンで行うようになった。【０００４】
また、スマートフォンは、インターネットへの通信機能を標準で搭載しているので、他の利用者が所有しているスマートフォンとデジタル画像の交換をする際にも、インターネットを通じて画像のやり取りをすることができ、この点でも好適である。スマートフォンに記憶している自分のデジタル画像を他の利用者と共有したい利用者は、スマートフォンをインターネットに接続し、インターネット上のサーバにデジタル画像をアップロードする。これにより、他の利用者は、スマートフォンまたは他の情報端末などでサーバに接続し、アップロードされたデジタル画像のうちの所望の画像をダウンロードすれば、当該デジタル画像を閲覧できる。
【先行技術文献】
【特許文献】
【０００５】
【特許文献１】特許第４３３２７０７号公報
【発明の概要】
【発明が解決しようとする課題】
【０００６】
しかしながら、上述したような従来技術によるデジタル画像の共有を行う場合、共有しようとするデジタル画像の公開および非公開の管理、または、当該デジタル画像を公開する相手の指定を行うことが難しい。【０００７】
そこで、本発明は、前記課題を解決し、デジタル画像の公開および非公開を管理でき、また、所望の相手のみへの公開を簡単に指定できる画像閲覧システムを提供することにある。
【課題を解決するための手段】
【０００８】
上記目的を達成するために、本発明の一態様に係る画像閲覧システムは、画像データを送信する画像送信部を有する送信側携帯端末と、前記画像データに対応して設定される閲覧可能端末ＩＤであって、当該画像データを閲覧することが可能な携帯端末を特定するための閲覧可能端末ＩＤを画像サーバに送信するＩＤ送信部と、前記送信側携帯端末により送信された画像データが閲覧可能な状態、または、閲覧不可能な状態であることを示す閲覧許可情報と、前記ＩＤ送信部により送信された閲覧可能端末ＩＤとを取得する取得部と、前記取得部により取得された閲覧許可情報および閲覧可能端末ＩＤを記憶するサーバ側記憶部とを有する前記画像サーバと、送信された前記画像データを受信する第一受信部と、当該画像データが閲覧可能か否かの問い合わせを前記画像サーバに対して行う問い合わせ部とを有する受信側携帯端末と、を備える。【０００９】
これによれば、携帯端末に記憶されている画像データの共有を行うとき、共有対象の携帯端末の端末ＩＤを手動で入力するという手間が必要なく、非常に簡便に共有対象となる端末を設定できるという、格別の効果を奏する。【００１０】
なお、これらの全般的または具体的な態様は、方法で実現されてもよい。
【発明の効果】
【００１１】
本発明の画像閲覧システム、受信側携帯端末、画像サーバ、および画像閲覧方法によれば、デジタル画像の公開および非公開を容易に管理でき、また、当該デジタル画像を公開する相手の指定を容易に行うことができる。
【図面の簡単な説明】
【００１２】
【図１】図１は、第１の実施の形態に係る画像閲覧システムの利用形態の一つを示した図である。
【図２】図２は、第１の実施の形態に係る画像閲覧システムの機能ブロック図である。
【図３】図３は、大型表示装置にデジタル画像の表示の指示を携帯端末が行った場合の、大型表示装置の動作を説明するための図である。
【図４】図４は、画像閲覧システムにおいてデジタル画像を共有した後の、携帯端末と画像サーバとの動作を説明するための図である。
【図５】図５は、第一携帯端末によって非公開要求が送信された場合の画像閲覧システムの動作を説明するための図である。
【図６】図６は、画像閲覧システムの動作を示すシーケンス図である。
【図７】図７は、画像閲覧システムの動作を示すシーケンス図である。
【図８】図８は、画像閲覧システムの動作を示すシーケンス図である。
【図９】図９は、第２の実施の形態に係る画像閲覧システムの機能ブロック図である。
【図１０】図１０は、第２の実施の形態に係る画像閲覧システムにおいてデジタル画像を共有するときの、携帯端末と画像サーバとの動作を説明するための図である。
【図１１】図１１は、第２の実施の形態に係る画像閲覧システムの動作を示すシーケンス図である。
【図１２】図１２は、第３の実施の形態に係る画像閲覧システムの機能ブロック図である。
【図１３】図１３は、第３の実施の形態に係る画像閲覧システムの動作を説明するための図であって、大型表示装置を介して公開したくないデジタル画像を閲覧させる際の動作を説明するための図である。
【図１４】図１４は、携帯端末が画像の表示を大型表示装置へ指示するときに入力されるジェスチャ入力の種類に応じて、画像サーバでの公開可能か否かを判定する場合について説明する図である。
【発明を実施するための形態】
【００１３】
（本発明に至った知見）
前記した従来技術によるデジタル画像の共有には、様々な問題がある。まず、スマートフォンなどの携帯端末をインターネット上のサーバに接続し、画像のダウンロードを行う場合は、当該携帯端末をネットワークに接続できる環境にないと、画像の閲覧ができないという問題がある。例えば、利用者が基地局からの電波が届かない地下室などにいる場合、携帯端末はネットワークに接続できないため、画像の閲覧ができなくなる。
【００１４】
ここで、携帯端末をインターネットに接続できる環境にあるときに、所望の画像をダウンロードしておき、携帯端末のメモリに保存しておけば、携帯端末をインターネットに接続しなくても、利用者は、画像の閲覧は可能となる。しかし、このような利用を許可すれば、画像の作成者（その画像をカメラで撮影した撮影者、等）としては、著しい不具合を蒙ることになる。つまり、画像の作成者が、一度、画像を他の利用者も閲覧できるような状態（サーバにアップロードする、等。これ以降、この状態を、「公開」と書く）にしたあと、やっぱり公開を取りやめたい、と思っても、それが不可能となるからである。なぜなら、当該画像は既に他の利用者の携帯端末のメモリに保存されており、メモリに保存された画像の閲覧を制限することは難しいからである。
【００１５】
また、インターネットを通じて画像を公開する場合であっても、ある限定された相手またはグループのみに公開する場合は、あらかじめパスワードおよびＩＤを、公開したい相手と共有する必要があるなどの面倒な手続きが多い。それゆえ、面倒な手続きを省略したい場合は、不特定多数のすべての利用者に対して公開するか、あるいは公開しないか、という利用方法しか採用されないという傾向にあった。
【００１６】
このような問題を解決するために、本発明の一態様に係る画像閲覧システムは、画像データを送信する画像送信部を有する送信側携帯端末と、前記画像データに対応して設定される閲覧可能端末ＩＤであって、当該画像データを閲覧することが可能な携帯端末を特定するための閲覧可能端末ＩＤを画像サーバに送信するＩＤ送信部と、前記送信側携帯端末により送信された画像データが閲覧可能な状態、または、閲覧不可能な状態であることを示す閲覧許可情報と、前記ＩＤ送信部により送信された閲覧可能端末ＩＤとを取得する取得部と、前記取得部により取得された閲覧許可情報および閲覧可能端末ＩＤを記憶するサーバ側記憶部とを有する前記画像サーバと、送信された前記画像データを受信する第一受信部と、当該画像データが閲覧可能か否かの問い合わせを前記画像サーバに対して行う問い合わせ部とを有する受信側携帯端末と、を備える。
【００１７】
これによれば、携帯端末に記憶されている画像データの共有を行うとき、共有対象の携帯端末の端末ＩＤを手動で入力するという手間が必要なく、非常に簡便に共有対象となる端末を設定できるという、格別の効果を奏する。
【００１８】
また、例えば、前記受信側携帯端末は、さらに、小型ディスプレイと、利用者により選択された前記画像データが示す画像を前記小型ディスプレイに表示させるための予め定められた入力を受け付ける受信側入力受付部と、前記受信側入力受付部により受け付けられた予め定められた入力により選択された画像を、前記問い合わせの結果に応じて前記小型ディスプレイへの表示を制御する表示制御部と、を有し、前記問い合わせ部は、前記入力により選択された画像データについての前記問い合わせを行い、前記表示制御部は、当該画像データが当該受信側携帯端末により閲覧可能であることを前記問い合わせの結果が示す場合に、当該画像データが示す画像を前記小型ディスプレイに表示させ、当該画像データが当該受信側携帯端末により閲覧不可能であることを前記問い合わせの結果が示す場合に、当該画像データが示す画像を前記小型ディスプレイに表示させないとしてもよい。
【００１９】
また、例えば、前記受信側携帯端末は、さらに、前記第一受信部により受信された画像データと、前記問い合わせ部が行った当該画像データについての前記問い合わせの結果とを記憶する端末側記憶部を有し、前記表示制御部は、前記受信側携帯端末がネットワークに接続されていない場合であって、前記受信側入力受付部が前記予め定められた入力を受け付けた場合、当該予め定められた入力により選択された前記画像データが示す画像を、前記端末側記憶部に記憶されている当該画像データについての前記問い合わせの結果のうちの最新の結果に応じて前記小型ディスプレイへの表示を制御するとしてもよい。
【００２０】
また、例えば、前記画像サーバは、さらに、前記取得部が前記問い合わせ部による問い合わせを取得した場合、当該問い合わせの対象となる画像データに対応する閲覧許可情報が閲覧可能な状態であることを示し、かつ、当該問い合わせを行った受信側携帯端末の端末ＩＤが当該画像データに対応する閲覧可能端末ＩＤに含まれているときに、前記問い合わせに対して当該画像データが閲覧可能であることを示す問い合わせ結果を当該受信側携帯端末に送信し、当該問い合わせの対象となる画像データに対応する閲覧許可情報が閲覧不可能な状態であることを示す、または、当該問い合わせを行った受信側携帯端末の端末ＩＤが当該画像データに対応する閲覧可能端末ＩＤに含まれていないときに、前記問い合わせに対して当該画像データが閲覧不可能であることを示す問い合わせ結果を当該受信側携帯端末に送信する問い合わせ結果送信部を有するとしてもよい。
【００２１】
また、例えば、前記送信側携帯端末は、さらに、利用者の入力を受け付ける送信側入力受付部と、前記送信側入力受付部により受け付けられた入力に基づいて、前記閲覧許可情報によって設定されている画像データの状態を一方の状態から他方の状態へと変更するための変更情報を送信する変更情報送信部と、を有し、前記取得部は、前記変更情報をさらに取得し、前記画像サーバは、さらに、前記取得部が前記変更情報を取得した場合、取得した変更情報に対応する閲覧許可情報に設定されている画像データの状態を一方の状態から他方の状態へと変更する閲覧許可変更部を有するとしてもよい。
【００２２】
また、例えば、前記画像送信部は、前記画像データを前記画像サーバに送信し、前記第一受信部は、前記送信側携帯端末により送信された画像データを、前記画像サーバを介して受信するとしてもよい。
【００２３】
また、例えば、前記画像送信部は、前記画像データを前記受信側携帯端末に送信し、前記第一受信部は、前記送信側携帯端末により送信された画像データを直接受信するとしてもよい。
【００２４】
また、例えば、前記送信側携帯端末は、さらに、前記画像データが示す画像が公開可能な画像であるか否かを判定する判定部と、前記判定部による判定結果が公開可能である場合に、当該画像データに対応する閲覧許可情報が示す状態を閲覧可能に設定し、前記判定部による判定結果が公開不可能である場合に、当該画像データに対応する閲覧許可情報が示す状態を閲覧不可能に設定する閲覧許可設定部と、を有し、前記画像送信部は、さらに、前記閲覧許可設定部により設定された当該画像データに対応する閲覧許可情報を送信するとしてもよい。
【００２５】
また、例えば、前記ＩＤ送信部は、前記送信側携帯端末、前記受信側携帯端末、および前記画像サーバとは独立した装置に設けられ、前記独立した装置は、さらに、前記送信側携帯端末により送信された画像データと、当該画像データに対応する閲覧許可情報とを受信する第二受信部を有し、前記ＩＤ送信部は、前記第二受信部が受信した閲覧許可情報の状態が閲覧不可能である場合に、当該閲覧許可情報に対応する画像データを送信しないとしてもよい。
【００２６】
また、例えば、前記送信側携帯端末は、さらに、前記画像データのうちで利用者に選択された前記画像データが示す画像を送信するためのフリック入力を受け付ける送信側入力受付部を有し、前記判定部は、前記画像データに対するフリック入力について、当該フリック入力にかかるタッチがされていることが検出されている領域の数に応じて前記画像データが公開可能な画像であるか否かを判定するとしてもよい。
【００２７】
また、例えば、前記判定部は、前記画像データが示す画像における鮮鋭度の高い領域が第一所定割合を超える場合に、当該画像が公開可能な画像であると判定し、前記画像データが示す画像における鮮鋭度の高い領域が前記第一所定割合以下の場合に、当該画像が公開不可能な画像であると判定するとしてもよい。
【００２８】
また、例えば、前記判定部は、前記画像データが示す画像のうちの少なくとも一部の画像が予め指定された画像にマッチングする場合に、当該画像が公開可能な画像であると判定し、前記画像データが示す画像が前記予め指定された画像にマッチングしない場合に、当該画像が公開不可能な画像であると判定するとしてもよい。
【００２９】
また、例えば、前記画像サーバは、さらに、前記画像データを記憶するとしてもよい。
【００３０】
また、例えば、前記ＩＤ送信部は、前記送信側携帯端末、前記受信側携帯端末、および前記画像サーバとは独立した装置に設けられるとしてもよい。
【００３１】
また、例えば、前記独立した装置は、さらに、前記送信側携帯端末により送信された画像データを受信する第二受信部を有し、前記ＩＤ送信部は、前記第二受信部が画像データを受信したときに、ネットワークを介して前記独立した装置に接続されている全ての携帯端末の端末ＩＤを、前記閲覧可能端末ＩＤとして、前記画像サーバに送信するとしてもよい。
【００３２】
また、例えば、前記送信側携帯端末は、さらに、前記ＩＤ送信部を有するとしてもよい。
【００３３】
また、これらの全般的または具体的な態様は、受信側携帯端末として実現されてもよい。
【００３４】
また、これらの全般的または具体的な態様は、画像サーバとして実現されてもよい。
【００３５】
なお、これらの全般的または具体的な態様は、方法で実現されてもよい。
【００３６】
以下、本発明の一態様に係る画像閲覧システム、受信側携帯端末、画像サーバ、および画像閲覧方法について、図面を参照しながら具体的に説明する。
【００３７】
なお、以下で説明する実施の形態は、いずれも本発明の一具体例を示すものである。以下の実施の形態で示される数値、形状、構成要素、ステップ、ステップの順序などは、一例であり、本発明を限定する主旨ではない。また、以下の実施の形態に係る構成要素のうち、最上位概念を示す独立請求項に記載されていない構成要素については、任意の構成要素として説明される。
【００３８】
＜１．第１の実施の形態＞
本発明の一態様に係る画像閲覧システム１は、無線ＬＡＮステーション２０４によるネットワークによって互いに接続される、大型表示装置２０１と、送信側携帯端末としての第一携帯端末１０１と、受信側携帯端末としての第二携帯端末１０２と、画像サーバ１０３とで構成される。
【００３９】
図１は、第１の実施の形態に係る画像閲覧システムの利用形態の一つを示した図である。図２は、第１の実施の形態に係る画像閲覧システムの機能ブロック図である。
【００４０】
第１の実施の形態では、大型表示装置２０１は、汎用型の大型薄型テレビジョン２０２と、セットトップボックス２０３とで構成される。大型薄型テレビジョン２０２は、図２に示すように、大型ディスプレイ２１１を有する。セットトップボックス２０３は、ＩＤ送信部２１２と、第二受信部２１３と、第二表示制御部２１４と、第二送信部２１５と、第二記憶部２１６を有する。
【００４１】
大型ディスプレイ２１１は、例えば、液晶ディスプレイ、プラズマディスプレイ、有機ＥＬディスプレイなどであり、据え置き型テレビの表示部である。
【００４２】
ＩＤ送信部２１２は、画像データに対応して設定される閲覧可能端末ＩＤであって、当該画像データを閲覧することが可能な携帯端末を特定するための閲覧可能端末ＩＤを画像サーバ１０３に送信する。第１の実施の形態では、ＩＤ送信部２１２は、送信側携帯端末として機能する第一携帯端末１０１、受信側携帯端末として機能する第二携帯端末１０２、および画像サーバ１０３とは異なる独立した装置であるセットトップボックス２０３に設けられる。ＩＤ送信部２１２は、第二受信部２１３が画像データを受信したときに、後述する無線ＬＡＮステーション２０４により構築されるネットワークを介してセットトップボックス２０３に接続されることにより、セットトップボックス２０３に認識されている全ての携帯端末の端末ＩＤを、閲覧可能端末ＩＤとして取得し、画像サーバ１０３に送信する。
【００４３】
なお、ここで、「第二受信部２１３が画像データを受信したとき」とは、第二受信部２１３が送信側携帯端末（第１の実施の形態では第一携帯端末１０１）から画像データを受信したタイミングまたは受信している期間のみに限らずに、第二受信部２１３が第一携帯端末１０１から画像を受信したタイミングを基準とする所定期間中も含まれる。なお、ここで言う「所定期間中」とは、例えば、セットトップボックス２０３が、第二受信部２１３において受信した画像データが示す画像を、大型薄型テレビジョン２０２に表示させるためのアプリケーションを起動している期間のことを指す。
【００４４】
第二受信部２１３は、送信側携帯端末として機能する第一携帯端末１０１により送信された画像データを受信する。第二受信部２１３はまた、大型ディスプレイ２１１に、第一携帯端末１０１または第二携帯端末１０２から送信された画像を表示させるための指示を受信する。
【００４５】
第二表示制御部２１４は、大型ディスプレイ２１１に、第一携帯端末１０１および第二携帯端末１０２の指示に基づく画像を表示させる。
【００４６】
第二送信部２１５は、第二受信部２１３により受信された画像データを画像サーバ１０３に転送する。
【００４７】
第二記憶部２１６は、第二受信部２１３により受信された画像データおよびＩＤ送信部２１２により取得された閲覧可能端末ＩＤを一時的に記憶する。
【００４８】
なお、第１の実施の形態では、大型表示装置２０１は、大型薄型テレビジョン２０２と、セットトップボックス２０３とで構成されているが、この構成に限定されるものではなく、大型薄型テレビジョン２０２の機能とセットトップボックス２０３の機能とが一体に構成される装置であってもかまわない。つまり、大型表示装置２０１は、単体の装置から構成されてもよいし、複数の装置を組み合わせることにより構成されてもよい。
【００４９】
第一携帯端末１０１および第二携帯端末１０２は、利用者が主に片手で持てるサイズの携帯端末である。第一携帯端末１０１および第二携帯端末１０２はそれぞれ、端末側記憶部１１１、１３１と、問い合わせ部１１２、１３２と、変更情報送信部１１３、１３３と、画像送信部１１４、１３４と、第一受信部１１５、１３５と、入力受付部１１６、１３６と、第一表示制御部１１７、１３７と、小型ディスプレイ１１８、１３８と、カメラ１１９、１３９とを有する。なお、第一携帯端末１０１と第二携帯端末１０２とを構成する各構成要素は、同じであるため、第一携帯端末１０１のみの構成について説明する。
【００５０】
端末側記憶部１１１は、例えば、画像データを蓄積できる内蔵フラッシュメモリである。つまり、端末側記憶部１１１は、第一受信部１１５により受信された画像データおよびカメラ１１９により撮影された画像データの少なくとも一方を記憶する。端末側記憶部１１１はまた、問い合わせ部１１２が行った画像データについての問い合わせ（後述参照）の結果を、第一受信部１１５により受信された画像データとともに記憶する。
【００５１】
問い合わせ部１１２は、第一受信部１１５が受信した画像データが閲覧可能か否かの問い合わせを画像サーバ１０３に対して行う。問い合わせ部１１２は、入力受付部１１６が受け付けた入力により選択された画像データについての問い合わせを行う。
【００５２】
変更情報送信部１１３は、入力受付部１１６により受け付けられた入力に基づいて、閲覧許可情報に設定されている画像データの状態を一方の状態から他方の状態へと変更するための変更情報を送信する。なお、ここで言う「閲覧許可情報」とは、利用者により予め設定される画像データに関する情報であって、当該画像データが閲覧可能な状態または閲覧不可能な状態であることを示す情報である。つまり、利用者が入力受付部１１６に閲覧許可情報を変更するための入力を行うことにより、変更情報送信部１１３は、閲覧許可情報が示す状態を変更させるための変更情報を画像サーバに送信する。このように、利用者は、閲覧許可情報を閲覧可能な状態に設定することで当該閲覧許可情報に対応する画像を公開でき、閲覧許可情報を閲覧不可能な状態に設定することで当該閲覧許可情報に対応する画像を非公開にできる。
【００５３】
画像送信部１１４は、端末側記憶部１１１に記憶されている画像データを送信する。具体的には、画像送信部１１４は、利用者により大型ディスプレイ２１１に、第一携帯端末１０１の端末側記憶部１１１に記憶されている画像データを表示させるための入力を入力受付部１１６が受け付けた場合に、当該入力により選択された画像データとともに、当該画像データを大型ディスプレイ２１１に表示させるための指示を送信する。第１の実施の形態では、画像送信部１１４が送信した画像データは、セットトップボックス２０３の第二受信部２１３により受信されて、第二送信部２１５により画像サーバ１０３に転送されるため、結果的に、画像送信部１１４はセットトップボックス２０３を介して画像サーバ１０３に画像データを送信していることになる。なお、画像送信部１１４は、セットトップボックス２０３を介して画像サーバ１０３に画像データを送信しなくてもよく、画像データを画像サーバ１０３に直接送信するような形態であってもよい。つまり、この場合、画像送信部１１４は、セットトップボックス２０３および画像サーバ１０３の両方に画像データを送信することになる。また、この場合には、セットトップボックス２０３の第二送信部２１５は、第二受信部２１３により受信された画像データを画像サーバ１０３に転送する必要はない。
【００５４】
第一受信部１１５は、他の携帯端末から送信された画像データを受信する。第１の実施の形態では、例えば、第一携帯端末１０１の画像送信部１１４により送信された画像データを、第二携帯端末１０２の第一受信部１３５がセットトップボックス２０３および画像サーバ１０３を介して受信する。
【００５５】
入力受付部１１６は、利用者により選択された画像データが示す画像を小型ディスプレイ１１８に表示させるための予め定められた入力を受け付ける。
【００５６】
第一表示制御部１１７は、入力受付部１１６により受け付けられた予め定められた入力により選択された画像を、問い合わせの結果に応じて小型ディスプレイ１１８への表示を制御する。第一表示制御部１１７はまた、画像データが当該端末（第一携帯端末１０１）により閲覧可能であることを問い合わせの結果が示す場合に、当該画像データが示す画像を小型ディスプレイ１１８に表示させる。一方で、第一表示制御部は、当該画像データが当該携帯端末により閲覧不可能であることを問い合わせの結果が示す場合に、当該画像データが示す画像を小型ディスプレイに表示させない。さらに、第一表示制御部１１７は、当該携帯端末がネットワークに接続されていない場合であって、入力受付部１１６が予め定められた入力を受け付けた場合、当該予め定められた入力により選択された画像データが示す画像を、端末側記憶部１１１に記憶されている当該画像データについての問い合わせの結果のうちの最新の結果に応じて小型ディスプレイ１１８への表示を制御する。
【００５７】
つまり、例えば、第二携帯端末１０２により第一携帯端末１０１が送信した画像データを受信して、当該画像データが示す画像を第二携帯端末１０２で利用者が閲覧しようとすれば、第二携帯端末１０２の問い合わせ部１３２による画像サーバ１０３への当該画像データが閲覧可能であるか否かの問い合わせを行う。そして、その問い合わせの結果が、第二携帯端末１０２により閲覧可能な画像であるという結果であれば、第二携帯端末１０２の第一表示制御部１３７は小型ディスプレイ１３８に当該画像データが示す画像を表示させる。反対に、その問い合わせの結果が、第二携帯端末１０２により閲覧不可能な画像であるという結果であれば、第二携帯端末１０２の第一表示制御部１３７は小型ディスプレイ１３８に当該画像データが示す画像を表示させない。さらに、第二携帯端末１０２は、問い合わせ部１３２による問い合わせの結果を端末側記憶部１３１に記憶させており、第二携帯端末１０２がネットワークに接続されていない場合には、問い合わせの結果のうちの最新の結果に応じて、上記のような判断を行い、当該画像データの小型ディスプレイ１３８への表示または非表示を行う。このとき、端末側記憶部１３１は、今までに問い合わせ部１３２により行われた問い合わせの結果のうち、全ての結果を蓄積して記憶してもよいし、最新の結果のみを記憶してもよいし、最新の所定の数の結果を蓄積して記憶してもよい。
【００５８】
小型ディスプレイ１１８は、液晶ディスプレイまたは有機ＥＬディスプレイからなり、入力受付部１１６とともに、タッチディスプレイを構成する。
【００５９】
無線ＬＡＮステーション２０４は、無線ＬＡＮ信号により、第一携帯端末１０１および第二携帯端末１０２と大型表示装置２０１とを、インターネットプロトコルによるネットワークに接続する。しかし第一携帯端末１０１および第二携帯端末１０２と大型表示装置２０１とをネットワークに接続する構成はこのような構成に限定されるものではなく、大型表示装置２０１と無線ＬＡＮステーション２０４とは、一体の機器としてもよい。
【００６０】
画像サーバ１０３は、インターネット１０５を介して無線ＬＡＮステーション２０４により構築されるネットワークに接続されており、複数の携帯端末に記憶されている画像データを当該複数の携帯端末で共有するための画像データまたは画像データに関する情報を管理する装置である。第１の実施の形態では、画像サーバ１０３は、第一携帯端末１０１と第二携帯端末１０２とによる画像データの共有に利用される装置である。
【００６１】
画像サーバ１０３は、取得部１５１と、サーバ側記憶部１５２と、問い合わせ結果送信部１５３と、閲覧許可変更部１５４とを有する。
【００６２】
取得部１５１は、送信側の第一携帯端末１０１により送信された画像データが閲覧可能な状態、または、画像データが閲覧不可能な状態であることを示す閲覧許可情報と、セットトップボックス２０３のＩＤ送信部２１２により送信された閲覧可能端末ＩＤとを取得する。取得部１５１はまた、変更情報送信部１１３により送信された変更情報を取得する。
【００６３】
サーバ側記憶部１５２は、取得部１５１により取得された閲覧許可情報および閲覧可能端末ＩＤを記憶する。
【００６４】
問い合わせ結果送信部１５３は、取得部１５１が問い合わせ部１３２からの問い合わせを取得した場合、当該問い合わせの対象となる画像データに対応する閲覧許可情報が閲覧可能な状態であることを示し、かつ、当該問い合わせを行った受信側の第二携帯端末１０２の端末ＩＤが当該画像データに対応する閲覧可能端末ＩＤに含まれているときに、前記問い合わせに対して当該画像データが閲覧可能であることを示す問い合わせ結果を当該受信側の第二携帯端末１０２に送信する。また、問い合わせ結果送信部１５３は、取得部１５１が問い合わせ部１３２からの問い合わせを取得した場合、当該問い合わせの対象となる画像データに対応する閲覧許可情報が閲覧不可能な状態であることを示す、または、当該問い合わせを行った第二携帯端末１０２の端末ＩＤが当該画像データに対応する閲覧可能端末ＩＤに含まれていないときに、前記問い合わせに対して当該画像データが閲覧不可能であることを示す問い合わせ結果を第二携帯端末１０２に送信する。
【００６５】
閲覧許可変更部１５４は、取得部１５１が変更情報を取得した場合、取得部１５１により取得された変更情報に対応する閲覧許可情報に設定されている画像データの状態を一方の状態から他方の状態へと変更する。つまり、閲覧許可変更部１５４は、利用者が送信側の携帯端末１０１を操作することにより送信された変更情報を取得部１５１が取得したときに、当該画像データの閲覧許可情報の状態を閲覧可能な状態から閲覧不可能な状態に変更する。なお、ここでいう「変更情報」とは、例えば、既に画像サーバ１０３に記憶されている画像データの閲覧許可情報の状態を閲覧可能な状態から閲覧不可能な状態にするための情報である。
【００６６】
図１に示した携帯端末１０１、１０２は、画像データが示す画像（以下、「デジタル画像」という）を利用者一人が閲覧するには十分な性能を持っているが、複数の利用者が一つの携帯端末でデジタル画像を閲覧するには、ディスプレイが小さすぎて、あまり好適ではない。そこで、第１の実施の形態に係る画像閲覧システムでは、携帯端末１０１、１０２が、無線ＬＡＮによって接続された大型表示装置２０１に対して、デジタル画像の表示を指示することができるようになっている。この指示により、大型表示装置２０１のセットトップボックス２０３の第二表示制御部２１４が当該指示によるデジタル画像の表示を大型薄型テレビジョン２０２の大型ディスプレイ２１１に行わせることで、携帯端末のデジタル画像が大型ディスプレイ２１１に表示される。このため、複数の利用者が写真の閲覧を大画面の大型ディスプレイ２１１で楽しむことができる。この際、大型表示装置２０１にデジタル画像の表示を指示できるのは、一つの携帯端末だけではなく、接続されたすべての携帯端末（第１の実施の形態では、第一携帯端末１０１および第二携帯端末１０２）が、デジタル画像の表示を指示できるものとする。また、以下で説明する第１の実施の形態に係る画像閲覧システム１の動作では、説明の便宜上、第一携帯端末１０１を送信側携帯端末として機能する携帯端末とし、第二携帯端末１０２を受信側携帯端末として機能する携帯端末として説明する。つまり、第一携帯端末１０１は送信側携帯端末として機能すれば本発明の一態様は説明できるため、図２のブロック図における破線で示す構成要素は必須の構成要素ではない。また、第二携帯端末１０２は受信側携帯端末として機能すれば本発明の一態様は説明できるため、図２のブロック図における破線で示す構成要素は必須の構成要素ではない。しかしながら、上記の構成に限定する趣旨ではなく、図２の実線で示す構成要素と破線で示す構成要素との両方が、第一携帯端末１０１および第二携帯端末１０２の構成要素であることが望ましい。
【００６７】
このように構成された第１の実施の形態に係る画像閲覧システムの動作を、図３〜６に示す。
【００６８】
図３は、大型表示装置にデジタル画像の表示の指示を携帯端末が行った場合の、大型表示装置の動作を説明するための図である。図４は、画像閲覧システムにおいてデジタル画像を共有した後の、携帯端末と画像サーバとの動作を説明するための図である。図５は、第一携帯端末によって非公開要求が送信された場合の画像閲覧システムの動作を説明するための図である。図６〜８は、画像閲覧システムの動作を示すシーケンス図である。
【００６９】
まず、図３および図６を用いて、大型表示装置にデジタル画像の表示の指示を携帯端末が行った場合の大型表示装置の動作について説明する。
【００７０】
ここで、第一携帯端末１０１と第二携帯端末１０２とが、大型表示装置２０１に無線ＬＡＮステーション２０４による無線ＬＡＮのネットワークで接続される（Ｓ１０１）。無線ＬＡＮネットワークに接続された各携帯端末１０１、１０２は、端末ＩＤをセットトップボックス２０３に送信する（Ｓ１０２）。
【００７１】
なお、前記した端末ＩＤには、確実に携帯端末が識別できるものなら、あらゆるＩＤが使用できる。例えば、携帯端末などの無線ＬＡＮ機能を有する無線ＬＡＮ機器は、機器の識別のために、ユニークさが保証されているＭＡＣアドレスが付与されているので、それを端末ＩＤ３０５、３０６として利用してもよい。
【００７２】
次に、第一携帯端末１０１が、利用者により選択されたデジタル画像を、大型表示装置２０１で表示するようにセットトップボックス２０３に指示する（Ｓ１０３）。この動作のとき、各携帯端末１０１、１０２の画像送信部１１４、１３４は、利用者により選択された画像を示す画像データを、個々の画像を識別できる画像ＩＤ３０７と共に、セットトップボックス２０３に送信する（Ｓ１０４）。
【００７３】
第一携帯端末１０１および第二携帯端末１０２が無線ＬＡＮのネットワークに接続された時点（Ｓ１０１、Ｓ１０２）で、それぞれの携帯端末が持つ、確実にユニークで個々の携帯端末が識別できる端末ＩＤ３０５、３０６が、大型表示装置２０１のセットトップボックス２０３のＩＤ送信部２１２に取得される（Ｓ２０１）。セットトップボックス２０３により取得された端末ＩＤは、第二記憶部２１６により一時的に記憶される（Ｓ２０２）。
【００７４】
ステップＳ１０４が各携帯端末１０１、１０２により行われた場合、セットトップボックス２０３では、第二受信部２１３が画像ＩＤとともに画像データを取得し（Ｓ２０３）、取得された画像データが示す画像３０１を第二表示制御部２１４が大型薄型テレビジョン２０２の大型ディスプレイ２１１に表示させる（Ｓ２０４）。このとき、取得された画像データは、一時的に第二記憶部２１６により記憶される。
【００７５】
なお、前記画像ＩＤには、確実に個々の画像が識別できるものなら、あらゆるＩＤが使用できる。例えば、前記端末ＩＤを画像ＩＤに利用する形態が考えられる。例えば、端末ＩＤを上位ケタに、携帯端末で撮影したデジタル画像それぞれの通し番号を下位ケタにしたＩＤを、画像ＩＤとする携帯である。このように、画像ＩＤを設定すれば、端末ＩＤはすでに個々の携帯端末ごとにユニークであることが保証されているから、画像ＩＤのユニークさを保証できる。
【００７６】
セットトップボックス２０３は、転送されたデジタル画像の表示を行うと同時に、デジタル画像を示す画像データを、インターネット１０５を通じて画像サーバ１０３にアップロードする（Ｓ２０５）。その際、セットトップボックス２０３では、ＩＤ送信部２１２が画像データと共に、画像ＩＤ３０７をインデックスとした画像属性情報３０４もアップロードする。画像属性情報３０４は、その画像データの所有者の端末ＩＤであるＩＤ００１と、当該画像データが示す画像の閲覧許可を与える端末のＩＤ（閲覧可能端末ＩＤ）を含んでおり、ＩＤ送信部２１２により作成される。この場合、セットトップボックス２０３は、画像の所有者（つまり、画像が元々記憶されていた携帯端末）である第一携帯端末１０１の他に、第二携帯端末１０２が接続されていることを把握している。つまり、セットトップボックス２０３は、同じ部屋に、第二携帯端末１０２の所有者が存在しており、大型表示装置２０１に表示された画像データ（画像ＩＤ：ＩＭＧ００１）を閲覧していることを認識している。そこで、画像ＩＤとしてＩＭＧ００１を持つ画像の閲覧許可端末ＩＤとして、第二携帯端末の端末ＩＤであるＩＤ００２が含まれるように画像属性情報３０４が作成される。また、ＩＤ送信部２１２は、公開日時として、第一携帯端末から画像ＩＭＧ００１がセットトップボックス２０３に転送された日時をさらに付与した画像属性情報３０４を作成する。さらに、ＩＤ送信部２１２は、画像データの送信元の携帯端末により送信された画像データが閲覧可能な状態、または、閲覧不可能な状態であることを示す閲覧許可情報を画像属性情報３０４に含める。つまり、ＩＤ送信部２１２は、画像属性情報３０４として、当該画像データの画像ＩＤと、当該画像データの所有者端末ＩＤと、当該画像データの閲覧許可端末ＩＤと、閲覧許可情報と、公開日時とを関連づけた情報を作成する。なお、閲覧許可情報は、特に設定されていない限り、閲覧可能な状態に設定される。ただし、閲覧許可情報は、利用者により設定されていれば、その設定に応じて閲覧不可能と設定される場合もある。この場合については、第３の実施の形態において詳しく述べる。
【００７７】
画像サーバ１０３では、ステップＳ２０５においてセットトップボックス２０３により送信された画像データと、閲覧可能端末ＩＤおよび閲覧許可情報を含む画像属性情報３０４とを取得部１５１が取得する（Ｓ３０１）。そして、サーバ側記憶部１５２は、取得部１５１により取得された画像データおよび画像属性情報３０４を記憶する（Ｓ３０２）。
【００７８】
次に、第二携帯端末１０２の所有者が、第一携帯端末の画像ＩＭＧ００１を、大型表示装置２０１で閲覧させてもらった次の日に、もう一度、画像ＩＭＧ００１を第二携帯端末１０２において閲覧しようとした場合に画像閲覧システム１により行われる動作について図４および図７を用いて説明する。
【００７９】
第二携帯端末１０２の所有者は、第二携帯端末１０２の入力受付部１３６に大型表示装置２０１で閲覧した画像ＩＭＧ００１を閲覧するための指示を入力する。当該入力を受けた第二携帯端末１０２は、インターネット１０５を通じて、画像サーバ１０３に接続する（Ｓ１１１）。そして、問い合わせ部１３２は、画像ＩＭＧ００１の画像データが閲覧可能か否かの問い合わせを行う。具体的には、問い合わせ部１３２は、当該画像の閲覧要求３１０を画像サーバ１０３に送信する（Ｓ１１２）。閲覧要求３１０には、第二携帯端末１０２の端末ＩＤであるＩＤ００２と、画像検索条件としての「一週間以内に公開されたもの」とが含まれる。
【００８０】
画像サーバ１０３では、取得部１５１が閲覧要求３１０を取得する（Ｓ３１１）。そして、問い合わせ結果送信部１５３は、画像サーバ１０３にアップロードされた画像データの中から、第二携帯端末１０２の端末ＩＤであるＩＤ００２が閲覧許可端末に含まれており、かつ、さらに現在の閲覧許可情報が「閲覧可能」となっており、かつ、さらに公開日時が今から一週間以内である画像データを検索することで画像ＩＭＧ００１を得る（Ｓ３１２）。
【００８１】
問い合わせ結果送信部１５３は、問い合わせの結果として、画像ＩＭＧ００１を、画像属性情報と共に第二携帯端末１０２に転送する（Ｓ３１３）。第二携帯端末１０２は当該画像データを端末側記憶部１３１に記憶させ、小型ディスプレイ１３８に表示させる（Ｓ１１３）。このとき、端末側記憶部１３１は、画像データとともに当該画像データに対応した画像属性情報を記憶する。
【００８２】
また、画像ＩＭＧ００１が公開された後で、公開を取りやめる際の動作について、図５および図８を用いて説明する。
【００８３】
第一携帯端末１０１では、画像ＩＭＧ００１を閲覧する操作が行われた場合、「ＩＤ００２に公開中」という表示が表示される（Ｓ１２１）。この表示を見て、第一携帯端末１０１の所有者が、画像ＩＭＧ００１を公開することを思い直して、非公開の指示を示す入力を入力受付部１１６に対して行ったとする（Ｓ１２２）。この場合、第一携帯端末１０１では、インターネット１０５を通じて画像サーバ１０３と接続され、変更情報送信部１１３が変更情報としての非公開要求４００を画像サーバ１０３に送信する（Ｓ１２３）。なお、ここで、非公開要求４００は、非公開要求の転送元である第一携帯端末１０１を表す端末ＩＤであるＩＤ００１と、非公開を指定された画像を示す画像ＩＤであるＩＭＧ００１を含む。
【００８４】
画像サーバ１０３では、取得部１５１により非公開要求４００が取得された場合（Ｓ３２１）、閲覧許可変更部１５４が非公開要求４００に含まれる画像ＩＤであるＩＭＧ００１をキーとしてサーバ側記憶部１５２に記憶されている画像属性情報を検索し、非公開要求４００と合致する画像属性情報３０４を得る（Ｓ３２２）。そして、閲覧許可変更部１５４は、画像属性情報３０４の所有者端末ＩＤと、非公開要求４００を発行した端末ＩＤ００１とが同一であるか否かを判定し、判定の結果同一であった場合に、当該画像属性情報３０４に含まれる閲覧許可情報を「閲覧不可能」に設定する（Ｓ３２３）。
【００８５】
ステップＳ３２３の後に、第二携帯端末１０２で、画像ＩＭＧ００１の閲覧が行われたとする。つまり、第二携帯端末１０２の所有者が、再び画像ＩＭＧ００１を第二携帯端末１０２において閲覧するための指示が入力受付部１３６に入力された場合（Ｓ１２４）、入力を受け付けた第二携帯端末１０２は、既に端末側記憶部１３１に保存されている当該画像の画像属性情報を参照する（Ｓ１２５）。そして、画像属性情報に含まれる所有者端末ＩＤが第二携帯端末１０２の端末ＩＤではないことを確認した場合（Ｓ１２６）、インターネット１０５を通じて画像サーバ１０３と接続し、閲覧確認要求４０１を画像サーバ１０３に送信する（Ｓ１２７）。閲覧確認要求４０１は、要求の発行元である端末ＩＤのＩＤ００２と、閲覧対象の画像の画像ＩＤであるＩＭＧ００１とを含むものである。
【００８６】
なお、ここで、第二携帯端末１０２がインターネット１０５に接続できない場合には、第一表示制御部１３７は、入力受付部１３６への入力により選択された画像データが示す画像ＩＭＧ００１を、端末側記憶部１３１に記憶されている画像ＩＭＧ００１の問い合わせの結果としての画像属性情報のうちの最新の結果に応じた小型ディスプレイ１３８への表示の制御を行う。つまり、この場合、第一表示制御部１３７は、画像ＩＭＧ００１の画像属性情報の閲覧許可情報が閲覧可能な状態であるか、閲覧不可能な状態であるかを確認し、閲覧可能な状態であれば当該画像ＩＭＧ００１を小型ディスプレイ１３８に表示させ、閲覧不可能な状態であれば当該画像ＩＭＧ００１を小型ディスプレイ１３８に表示させないという表示制御を行う。
【００８７】
画像サーバ１０３では、取得部１５１により閲覧確認要求４０１が取得された場合（Ｓ３２４）、問い合わせ結果送信部１５３は当該閲覧確認要求に含まれるＩＭＧ００１をキーとして画像属性情報を検索し、閲覧確認要求４０１と合致する画像属性情報３０４を得る（Ｓ３２５）。そして、問い合わせ結果送信部１５３は、閲覧確認要求４０１に含まれる端末ＩＤであるＩＤ００２が閲覧許可端末ＩＤに含まれてはいるが、閲覧許可情報は「閲覧不可能」に設定されていることを発見する（Ｓ３２６）。そこで、問い合わせ結果送信部１５３は、第二携帯端末１０２に対して、非公開要求４０２を送信する（Ｓ３２７）。
【００８８】
第二携帯端末１０２では、第一受信部１３５が非公開要求４０２を受信した場合（Ｓ１２８）、さらに小型ディスプレイ１３８内のＩＭＧ００１を表示させるための領域に、「所有者の要求により非公開となりました」という内容の表示を行わせる（Ｓ１２９）。つまり、第二携帯端末１０２では、当該画像が非公開になったことを示す通知が小型ディスプレイ１３８に表示される。
【００８９】
なお、ステップＳ１２８の場合に、第一表示制御部１１７は、非公開要求４０２に含まれる画像ＩＤであるＩＭＧ００１に対応する画像データを端末側記憶部１３１から消去してもよい。この場合、端末側記憶部１３１には画像属性情報は記憶されなくてもよいし、画像サーバ１０３が画像属性情報を画像データとともに送信しなくてもよい。このように、端末側記憶部１３１から消去する場合の方が、端末側記憶部１３１の記憶容量を切迫せずに済むため、より好適である。
【００９０】
このように、第１の実施の形態に係る画像閲覧システム１によれば、携帯端末に記憶されているデジタル画像の共有を複数の携帯端末で行うとき、共有対象の携帯端末の端末ＩＤを手動で入力するという手間が必要なく、非常に簡便に共有対象となる端末を設定できるという、格別の効果を奏する。また、共有された画像は受信側携帯端末の端末側記憶部に保存するため、端末側記憶部に一旦保存されれば、画像の閲覧の際に、画像サーバに必ず接続しなければならないということもなくなり、インターネット接続ができない場所でも閲覧を許可された画像を閲覧できるという、格別の効果も奏する。
【００９１】
また、第１の実施の形態に係る画像閲覧システム１によれば、画像データの画像サーバ１０３から受信側携帯端末へのダウンロードを許可した上で受信側携帯端末に画像データが記憶された後であっても、送信側携帯端末を操作することにより、一度公開したデジタル画像の閲覧を制限することができる。これにより、デジタル画像の閲覧の際にダウンロードして受信側携帯端末に記憶されている画像データを表示させるため必ずインターネット接続が必要となるという不便から解放される。また、当該画像データの公開後に、送信側携帯端末によりいつでも非公開に設定できるという、格別の効果を奏することができる。
【００９２】
なお、第１の実施の形態に係る画像閲覧システム１は、前記した実施の形態に限定されるものではなく、他の構成もとることができる。例えば、携帯端末１０１、１０２と大型表示装置２０１は、無線ＬＡＮで接続されているとしたが、有線ＬＡＮであっても構わないのはもちろんであり、またＬＡＮではなくＢｌｕｅｔｏｏｔｈ（登録商標）等の他の通信形態であっても構わない。また、閲覧許可端末ＩＤはＩＤ００２の第二携帯端末１０２のみとしたが、第二携帯端末１０２を含む複数台であってもよい。例えば第二携帯端末１０２を含むあらかじめ設定されたグループであってもいいし、第二携帯端末１０２の端末ＩＤであるＩＤ００２に登録した属性と同じ属性、例えば性別、年齢（１９６０年代生まれ等、ある程度幅を持ったものでもよい）、趣味、職業、所在地（町、市、県、国等、様々なレベルがあってもよい）等の属性を持つ端末に対して公開を許可するものであってもよい。もちろん、不特定多数の端末に対して公開を許可するものであってもよい。
【００９３】
また、第１の実施の形態に係る画像閲覧システム１は、前記した実施の形態に限定されるものではなく、他の構成もとることができる。また、第二携帯端末１０２で画像を閲覧するタイミングで画像サーバ１０３に対して閲覧確認要求４０１を発行するものとしたが、画像の閲覧のタイミングだけではなく、インターネット１０５への接続が可能になったタイミングで、閲覧確認要求を発行するとしてもよい。この場合、画像を閲覧しようとしたときにインターネット接続が不可能であったとしても、その時点での画像サーバ１０３の状況を正確に反映することができ、より好適である。
【００９４】
また、第１の実施の形態に係る画像閲覧システム１は、前記したが、端末側記憶部１１１、１３１に記憶されている画像データの本来の所有者を管理し、その所有者が当該携帯端末と異なる場合は、その利用に制限をかけるように動作するのが望ましい。その動作とは、例えば、受信側携帯端末である第二携帯端末１０２については、第一携帯端末１０１から受け取った画像ＩＭＧ００１を、大型表示装置２０１を介して、他の利用者に閲覧させることはできないように制御する、などの動作である。第２の実施例で後述する、他の携帯端末に直接転送するような場合でも、同様である。これらの制限は、元々の画像ＩＭＧ００１の所有者の意図、つまり第二携帯端末１０２に対してのみ、閲覧を許可するという意図にそむかないようにするために、重要である。もちろん、画像ＩＭＧ００１の所有者が、第二携帯端末１０２以外の端末に対しても公開を許可した場合は、画像ＩＭＧ００１の所有者が許可した端末以外の端末に閲覧を許可しなければよく、第二携帯端末１０２のみに閲覧を許可するものではない。また、画像ＩＭＧ００１の所有者が、その所有権を、第二携帯端末１０２に移譲したり、第二携帯端末１０２と共同の所有者となったりということが可能となってもよい。画像ＩＭＧ００１の所有権が他の所有者に移譲されたり、他の所有者が画像ＩＭＧ００１の共同の所有者となったりする場合は、他の所有者は、画像ＩＭＧ００１の所有者として扱われることになる。つまり、他の所有者が所持する端末の端末ＩＤが画像ＩＭＧ００１の所有者端末ＩＤに含まれることになる。
【００９５】
＜２．第２の実施の形態＞
第１の実施の形態では、携帯端末１０１、１０２に記憶されている画像データが示す画像を、大型表示装置２０１を介して閲覧する際に、画像サーバ１０３にアップロードした画像の閲覧許可を与える端末のＩＤ（閲覧許可端末ＩＤ）を自動的に抽出するものであった。第２の実施の形態では、大型表示装置２０１を介さず、携帯端末１０１ａ、１０２ａ同士で画像データのやり取りを行う形態をとる。
【００９６】
図９は、第２の実施の形態に係る画像閲覧システムの機能ブロック図である。図１０は、第２の実施の形態に係る画像閲覧システムにおいてデジタル画像を共有するときの、携帯端末と画像サーバとの動作を説明するための図である。図１１は、第２の実施の形態に係る画像閲覧システムの動作を示すシーケンス図である。
【００９７】
第一携帯端末１０１ａと第二携帯端末１０２ａとがそれぞれの所有者により持ち寄られ、第一携帯端末１０１ａの画像ＩＭＧ００１が、第二携帯端末１０２ａに転送されようとしている場合について説明する。つまり、第２の実施の形態においても、第一携帯端末１０１ａを送信側携帯端末として説明し、第二携帯端末１０２ａを受信側携帯端末として説明する。
【００９８】
図９に示すように、第２の実施の形態に係る画像閲覧システム１ａでは、各携帯端末１０１ａ、１０２ａが、第１の実施の形態に係る各携帯端末１０１、１０２の構成に、さらに、ＩＤ送信部１２０、１４０を有する。
【００９９】
ＩＤ送信部１２０、１４０は、画像データに対応して設定される閲覧可能端末ＩＤであって、当該画像データを閲覧することが可能な携帯端末を特定するための閲覧可能端末ＩＤを画像サーバ１０３に送信する。
【０１００】
また、送信側の第一携帯端末１０１ａの画像送信部１１４が、画像データを受信側の第二携帯端末１０２ａに送信し、第二携帯端末１０２ａの第一受信部１３５が第一携帯端末１０１ａにより送信された画像データを直接受信する。
【０１０１】
この場合の携帯端末１０１ａ、１０２ａ同士の接続は、無線ＬＡＮのアドホックモードを用いてもよいし、Ｂｌｕｅｔｏｏｔｈ（登録商標）を用いてもよい。例えば、第一携帯端末１０１ａの入力受付部１１６および小型ディスプレイ１１８であるタッチパネル上で表示される「画像の送信」などのボタンが押されて画像の送信指示が入力された場合（Ｓ１３１）、第一携帯端末１０１ａの付近の携帯端末であって、画像閲覧システムのアプリケーションを起動している携帯端末（この場合は、第二携帯端末１０２ａ）と接続状態となる（Ｓ１３２）。接続状態となれば、第一携帯端末１０１ａでは、画像送信部１１４が画像ＩＭＧ００１の第二携帯端末１０２ａへの送信を開始する（Ｓ１３３）。このとき、第二携帯端末１０２のＩＤ送信部１３９が、第一携帯端末１０１に対して、携帯端末を識別するための端末ＩＤであるＩＤ００２を送信する（Ｓ１３４）。なお、ステップＳ１３３およびステップＳ１３４は、同時に行われてもよいし、いずれか一方が先に行われてもよい。
【０１０２】
第一受信部１３５は、画像送信部１１４により送信された画像データＩＭＧ００１を受信し（Ｓ１３５）、受信した画像データＩＭＧ００１を第二携帯端末１０２の端末側記憶部１３１に記憶する（Ｓ１３６）。そして、第一表示制御部１３７は、端末側記憶部１３１に記憶された画像データが示す画像を、小型ディスプレイ１３８に表示させる（Ｓ１３７）。
【０１０３】
一方、第一携帯端末１０１ａは、インターネット１０５を通じて、画像サーバ１０３に接続する（Ｓ１３８）。この際、第一携帯端末１０１ａが無線ＬＡＮ機能を一つだけ持っており、さらに、第二携帯端末１０２との接続が無線ＬＡＮのアドホックモードにより行われている場合、第一携帯端末１０１ａは、無線ＬＡＮを用いてインターネットに接続することはできない。その場合、第一携帯端末１０１ａは、３Ｇ等の、携帯電話としてのデータ転送機能を利用して、インターネット１０５を通じて画像サーバ１０３に接続する。また、有線ＬＡＮ機能を持っていたら、それを用いてインターネットに接続してもよい。そのほか、様々な接続方法を選択することができる。つまり、第一携帯端末１０１ａは、第二携帯端末１０２ａとの通信と、画像サーバ１０３との通信とを、上述したようなそれぞれ別の通信手段で行えば両者の通信を同時に行うことができる。
【０１０４】
第一携帯端末１０１ａは、画像サーバ１０３に接続されれば、画像サーバ１０３に対して、画像属性情報５０１をアップロードする（Ｓ１３９）。画像属性情報５０１は、第二携帯端末１０２に転送した、画像ＩＭＧ００１に関する情報であり、第１の実施の形態で説明した画像属性情報３０４と同じ情報である。すなわち、画像属性情報５０１は、画像ＩＤはＩＭＧ００１であり、所有者の端末はＩＤ００１であり、閲覧許可を与えた端末は、ＩＤ００２である、ことを示す情報である。画像サーバ１０３は、アップロードされた画像属性情報５０１を取得し（Ｓ３３１）、記憶する（Ｓ３３２）。
【０１０５】
このように送信された画像ＩＭＧ００１を、第二携帯端末１０２ａで閲覧する際の動作は、図５で説明した第二携帯端末１０２ａの動作（ステップＳ１２４〜Ｓ１２９）、および、画像サーバ１０３の動作（ステップＳ３２４〜Ｓ３２７）と同じになる。すなわち、閲覧のタイミング、あるいは第二携帯端末１０２ａがインターネットに接続されたタイミングで、画像ＩＭＧ００１の閲覧許可がでているかどうかの問い合わせを行うために、問い合わせ部１３２は、画像サーバ１０３に対して、問い合わせとしての閲覧確認要求４０１を送信する。そして、第一表示制御部１３７は、画像サーバ１０３より送信された問い合わせの結果を用いて、画像ＩＭＧ００１を第二携帯端末１０２ａの小型ディスプレイ１３８への表示または表示の制御を行う。
【０１０６】
このように、第２の実施の形態に係る画像閲覧システム１ａによれば、携帯端末１０１ａ、１０２ａ同士による画像データのやり取りの際にも、画像の閲覧に関しての閲覧許可情報を、画像サーバ１０３にアップロードする。これにより、画像の閲覧許可を与える端末を識別するためのＩＤを手入力するといった不便から解放され、さらに画像の公開後にいつでも当該画像を非公開に設定できるという、格別の効果を奏することができる。
【０１０７】
なお、第２の実施の形態に係る画像閲覧システム１ａでは、携帯端末１０１ａ、１０２ａ同士で画像データを直接送受信しているが、これに限らずに、第１の実施の形態のように画像データを送信側の携帯端末（例えば第一携帯端末１０１ａ）が画像サーバ１０３にアップロードしてから、受信側の携帯端末（例えば第二携帯端末１０２ａ）が画像サーバ１０３からアップロードされた画像データをダウンロードするような形態としてもよい。
【０１０８】
＜３．第３の実施の形態＞
第１および第２の実施の形態では、大型表示装置２０１を介して、あるいは他の携帯端末に直接、デジタル画像を他の利用者に公開した場合に、閲覧許可情報が閲覧可能な状態であれば、そのデジタル画像の恒久的な閲覧権限を他の利用者に与えるものであった。しかし、画像によっては、画像の所有者が見ている前での他の所有者への一時的な公開は許しても、所有者が見ていない場所での他の所有者への公開は、許したくない画像もある。第３の実施の形態に係る画像閲覧システム１ｂでは、このようなデジタル画像の取り扱いについて示す。
【０１０９】
図１２は、第３の実施の形態に係る画像閲覧システムの機能ブロック図である。図１３は、第３の実施の形態に係る画像閲覧システムの動作を説明するための図であって、大型表示装置を介して公開したくないデジタル画像を閲覧させる際の動作を説明するための図である。
【０１１０】
図１２に示すように、第３の実施の形態に係る画像閲覧システム１ｂでは、各携帯端末１０１ｂ、１０２ｂがそれぞれ、第１の実施の形態に係る各携帯端末１０１、１０２の構成に、さらに、判定部１２１、１４１と、閲覧許可設定部１２２、１４２とを有する。
【０１１１】
判定部１２１、１４１は、端末側記憶部１１１、１３１に記憶されている画像データが示す画像が公開可能な画像であるか否かを判定する。判定部１２１、１４１が具体的に、何に基づいて公開可能な画像であると判定するかについては後述する。
【０１１２】
閲覧許可設定部１２２、１４２は、判定部１２１、１４１による判定結果が公開可能である場合に、当該画像データに対応する閲覧許可情報が示す状態を閲覧可能に設定し、判定部１２１、１４１による判定結果が公開不可能である場合に、当該画像データに対応する閲覧許可情報が示す状態を閲覧不可能に設定する。
【０１１３】
そして、画像送信部１１４、１３４は、画像データを送信する他にさらに、閲覧許可設定部１２２、１４２により設定された当該画像データに対応する閲覧許可情報を送信する。
【０１１４】
さらに、セットトップボックス２０３は、次のような機能を有する。第二受信部２１３は、送信側携帯端末により送信された画像データと、当該画像データに対応する閲覧許可情報とを受信する。ＩＤ送信部２１２は、第二受信部２１３が受信した閲覧許可情報の状態が閲覧不可能である場合に、当該閲覧許可情報に対応する画像データを送信しない。
【０１１５】
図１３は、第一携帯端末１０１ｂが大型表示装置２０１に対して、第一携帯端末１０１ｂに記憶されている画像データを大型薄型テレビジョン２０２に表示させるための指示を行った場合を説明するための図である。図１３に示すように、判定部１２１において端末側記憶部１１１に記憶されている画像データが示す画像が公開可能でない画像であると判定された場合に、画像ＩＭＧ００１に対応する画像属性情報の閲覧許可情報が示す状態が閲覧不可能とされた状態でセットトップボックス２０３に画像属性情報が送信される。つまり、判定部１２１において公開可能でない画像であると判定された画像ＩＭＧ００１には、「公開禁止」の属性６０１が付与される。このような判定部１２１により公開可能でないと判定された画像の表示を大型表示装置２０１に指示した場合、大型薄型テレビジョン２０２上に表示される画像３０１の一部の領域に「公開禁止」の表示６０２が重畳され、図２で示したような、インターネット１０５を通じたセットトップボックス２０３による画像サーバ１０３への画像のアップロードは、行われない。
【０１１６】
図１３で示した「公開禁止」の属性６０１は、様々な形で付与できる。つまり、判定部１２１、１４１は、様々な形態で端末側記憶部１１１、１３１に記憶されている画像データが公開可能な画像を示すか否かを判定する。
【０１１７】
判定部１２１、１４１は、例えば、携帯端末に小型ディスプレイ側の面に配置されるインカメラとインカメラの反対側の面に配置されるアウトカメラとの両方が備えられている場合に、本人を撮影するインカメラで撮影した画像を公開不可能であると判定し、携帯端末の外側を撮影するアウトカメラで撮影した画像を公開可能であると判定するようにしてもよい。この場合、携帯端末の所有者としては、自分の顔は画像サーバで公開されることがないという安心感を得ることができる。
【０１１８】
また、前記した判定部１２１、１４１の判定方法は、インカメラにより撮影された画像に対して行われる判定と、アウトカメラにより撮影された画像に対して行われる判定とが逆であってもよい。この場合、アウトカメラでは、著作権や肖像権を侵害している画像が撮影されてしまうかもしれないから公開不可能であるという判定が行われ、著作権や肖像権の問題がない自分の顔は画像サーバで公開可能であるという判定が自動的に行われるという効果がある。
【０１１９】
また、カメラ機能を起動する際に、カメラアイコンへのタッチジェスチャによって、撮影された画像に対して判定部１２１、１４１が公開可能であるか否かの判定が行われてもよい。つまり、例えば、カメラアイコンを上に跳ね上げるようにタッチする入力が行われることにより撮影された画像であれば、画像サーバ１０３への公開を許可し、下に下げるようにタッチする入力が行われることにより撮影された画像であれば、画像サーバ１０３への公開を許可しない、などである。
【０１２０】
さらに、判定部１２１、１４１は、カメラ写りが悪い画像について公開を許可しない、判定してもよい。例えば、自分の顔画像として、代表となる画像を参照画像として、あらかじめ登録しておく。その後、携帯端末で自分の顔画像を撮影した場合、まず、参照画像と撮影画像とのマッチングを行い、撮影画像が、自分の顔画像であることを確認する。その上で、撮影画像と参照画像との差分がどの程度が確認し、あまりに参照画像と異なる撮影画像である場合に、公開不可能であると判定部１２１、１４１により判定されるようにしてもよい。つまり、判定部１２１、１４１は、撮影した画像データまたは端末側記憶部１１１、１３１に記憶されている画像データが示す画像のうちの少なくとも一部の画像が予め指定された参照画像にマッチングする場合に、当該画像が公開可能な画像であると判定し、前記画像データが示す画像が前記予め指定された画像にマッチングしない場合に、当該画像が公開不可能な画像であると判定する。この場合、撮影画像と参照画像との差分が所定の閾値以上である場合に、判定部１２１、１４１により公開不可能であると判定され、所定の閾値以内である場合に公開可能であると判定される。この機能を実装すると、体調が悪く顔色が悪いとか、目に隈ができているとか、小じわが目立つなどの、代表となる自分の顔画像と差分が多い画像に関しては、自動的に公開を禁止することができ、そのような画像を公開したくない利用者にとっては、非常に好適となる。
【０１２１】
また、判定部１２１、１４１は、画像を解析して、極端に輝度が低い、あるいは極端に輝度が高い、といった画像は、撮影に失敗した画像である可能性が高いから、画像サーバへの公開禁止の属性が付与される、としてもよいし、画像における鮮鋭度の高い領域が第一所定割合を超える場合に、画像が公開可能な画像であると判定し、層でない場合に、画像が公開不可能な画像であると判定してもよい。
【０１２２】
さらに、判定部１２１、１４１は、画像サーバへの公開に値しない画像、例えば、携帯端末内におけるスクリーンキャプチャ画像などについて、公開不可能と判定してもよい。その場合、画像解析によって、自然画像ではなくスクリーンキャプチャ画像であることを判断してもよいし、画像ファイルのフォーマットを利用してもよい。一般的に、自然画像に対してはＪＰＥＧフォーマットが用いられるが、スクリーンキャプチャ等では、ＰＮＧやＢＭＰフォーマット等が利用されるので、それらを利用して、公開可能であるか否かを判定してもよい。
【０１２３】
さらに、判定部１２１、１４１は、大型表示装置２０１に指定した画像を表示させるときに行われた入力の種類で、画像サーバ１０３への公開可能か否かを判定してもよい。
【０１２４】
図１４は、携帯端末１０１ｂ、１０２ｂが画像の表示を大型表示装置２０１へ指示するときに入力されるジェスチャ入力の種類に応じて、画像サーバ１０３での公開可能か否かを判定する場合について説明する図である。図１４の（ａ）は、二本指でフリック入力を行ったときの動作を説明するための図であり、図１４の（ｂ）は、一本指でフリック入力を行ったときの動作を説明するための図である。
【０１２５】
図１４の（ａ）では、第一携帯端末１０１ｂで、大型表示装置２０１へ表示させる対象となる画像を、二本指で上方（大型表示装置２０１側の方向）へのフリック入力７０１を行うことで、当該画像の大型表示装置２０１への表示を指示している。例えば、二本指でのフリック入力が画像サーバ１０３での公開も指定したことを意味していれば、判定部１２１、１４１は、当該フリック入力によって大型表示装置２０１への表示が指示された画像を公開可能な画像であると判定する。判定部１２１により公開可能な画像であると判定されれば上述したように閲覧許可設定部１２２は閲覧許可情報が示す状態を閲覧可能な状態に設定する。このため、セットトップボックス２０３は、閲覧許可情報が閲覧可能な状態とされている画像データを大型ディスプレイ２１１において表示させるとともに、画像サーバ１０３へのアップロードも行う。
【０１２６】
図１４の（ｂ）では、第一携帯端末１０１ｂで、大型表示装置２０１へ表示させる対象となる画像を、一本指で上方（大型表示装置２０１側の方向）へのフリック入力７０２を行うことで、当該画像の大型表示装置２０１への表示を指示している。例えば、二本指でフリック入力を行う場合と異なり、一本指でフリック入力を行う場合には、判定部１２１により当該画像が公開不可能な画像であると判定されるため、画像サーバ１０３での公開は禁止となる。セットトップボックス２０３では、第二表示制御部２１４が大型ディスプレイ２１１での表示のみを行わせ、画像サーバ１０３での公開が行われていないことを示すための「公開禁止」の表示６０２を行わせる。
【０１２７】
つまり、判定部１２１、１４１は、画像データに対するフリック入力について、当該フリック入力にかかるタッチがされていることが検出されている領域の数に応じて画像データが公開可能な画像であるか否かを判定している。なお、判定部１２１、１４１は、ジェスチャ入力の種類を異ならせることにより、当該ジェスチャ入力により選択された画像データが公開可能な画像であるかを判定してもよい。
【０１２８】
なお、画像サーバ１０３への公開の禁止は、他の方法でも行うことができる。例えば、公開を望まないのに、ある種の操作で、画像サーバ１０３への送信が始まったとする。その場合、画像サーバ１０３へ画像データが送信されている間に、送信中であることを示すアニメーション、例えば、画像が雲へ向かって飛んでいくようなアニメーションを表示させる。利用者は、このアニメーションの表示を見て、自分の操作ミスで公開を望まない画像を画像サーバにアップロードしていることを知った場合、直感的な操作、例えば、雲に向かって飛んでいく画像を引き戻すようなジェスチャ、あるいは、携帯端末の上部を覆うようなジェスチャをすることで、画像サーバ１０３への画像データの送信を中止することができるようにしてもよい。つまり、具体的には、インカメラの検出する輝度値が所定の輝度値よりも小さくなった場合に、画像データの画像サーバ１０３への送信を停止させてもよい。なお、前記したアニメーションは、本当の画像サーバ１０３への送信中のみに行われなくてもよい。例えば、画像サーバ１０３への送信を開始する１０秒くらい前にアニメーションを開始してもよい。このような実装形態をとれば、画像サーバ１０３への送信が一瞬で終わってしまって送信中止の動作を取る余裕ができるため、操作中止の動作を行う時間がなくて画像データの送信が中止されずに送信されてしまうという課題を解決できる。なお、ここで、画像データが送信されている間に、アニメーションを表示させて、その間にインカメラを手で覆い隠すことによってインカメラによって検出される輝度値を下げれば、画像データの画像サーバ１０３への送信を中止するとしたが、送信を中止する対象は、画像データを画像サーバ１０３へ送信することに限らずに、例えば作成したメールを送信することに利用してもよい。つまり、送信の中止に係る処理は、上述した画像閲覧システムに採用されることに限らずに、単独の携帯端末に採用されてもよい。
【０１２９】
なお、これまでに説明した実施の形態では、操作の対象は全て画像データであるとしたが、本発明はこのような形態に限定されるものではなく、操作の対象は、他のデータ、例えば動画像データ、音楽データ、文書データ等であってもよい。
【０１３０】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記各実施の形態の画像閲覧システムなどを実現するソフトウェアは、次のようなプログラムである。
【０１３１】
すなわち、このプログラムは、コンピュータに、ネットワークによって互いに接続される、送信側携帯端末と、受信側携帯端末と、ＩＤ送信部と、画像サーバとにより構成される画像閲覧システムの画像閲覧方法であって、前記送信側携帯端末が画像データを送信する画像送信ステップと、前記画像データに対応して設定される閲覧可能端末ＩＤであって、当該画像データを閲覧することが可能な携帯端末を特定するための閲覧可能端末ＩＤを、前記ＩＤ送信部が前記画像サーバに送信するＩＤ送信ステップと、前記画像送信ステップにおいて送信された画像データが閲覧可能な状態、または、画像データが閲覧不可能な状態であることを示す閲覧許可情報と、前記ＩＤ送信部により送信された閲覧可能端末ＩＤと、を、前記画像サーバが取得する取得ステップと、前記取得ステップにおいて取得した閲覧許可情報および閲覧可能端末ＩＤを、前記画像サーバが記憶する記憶ステップと、前記画像送信ステップにおいて送信された画像データを前記受信側携帯端末が受信する受信ステップと、前記画像送信ステップにおいて送信された画像データが閲覧可能か否かの問い合わせを前記画像サーバに対して前記受信側携帯端末が行う問い合わせステップと、を実行させる。
【０１３２】
以上、本発明の一つまたは複数の態様に係る画像閲覧システム、受信側携帯端末、画像サーバ、および画像閲覧方法について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【産業上の利用可能性】
【０１３３】
以上のように、本発明によれば、デジタル画像の公開および非公開を管理でき、また、限定された相手のみへの公開を簡単に指定できる画像閲覧システム、受信側携帯端末、画像サーバ、および画像閲覧方法として有用である。
【符号の説明】
【０１３４】
１  画像閲覧システム
１０１、１０１ａ、１０１ｂ  第一携帯端末
１０２、１０２ａ、１０２ｂ  第二携帯端末
１０３  画像サーバ
１０５  インターネット
１１１、１３１  端末側記憶部
１１２、１３２  問い合わせ部
１１３、１３３  変更情報送信部
１１４、１３４  画像送信部
１１５、１３５  第一受信部
１１６、１３６  入力受付部
１１７、１３７  第一表示制御部
１１８、１３８  小型ディスプレイ
１１９、１３９  カメラ
１２０、１４０、２１２  ＩＤ送信部
１２１、１４１  判定部
１２２、１４２  閲覧許可設定部
１５１  取得部
１５２  サーバ側記憶部
１５３  問い合わせ結果送信部
１５４  閲覧許可変更部
２０１  大型表示装置
２０２  大型薄型テレビジョン
２０３  セットトップボックス
２０４  無線ＬＡＮステーション
２１１  大型ディスプレイ
２１３  第二受信部
２１４  第二表示制御部
２１５  第二送信部
２１６  第二記憶部
３０１  画像
３０４  画像属性情報
３１０  閲覧要求
４００  非公開要求
４０１  閲覧確認要求
４０２  非公開要求
５０１  画像属性情報
６０１  「公開禁止」の属性
６０２  「公開禁止」の表示
７０１、７０２  フリック入力
【図１】
2013179654.tif 000003
【図２】
2013179654.tif 000004
【図３】
2013179654.tif 000005
【図４】
2013179654.tif 000006
【図５】
2013179654.tif 000007
【図６】
2013179654.tif 000008
【図７】
2013179654.tif 000009
【図８】
2013179654.tif 000010
【図９】
2013179654.tif 000011
【図１０】
2013179654.tif 000012
【図１１】
2013179654.tif 000013
【図１２】
2013179654.tif 000014
【図１３】
2013179654.tif 000015
【図１４】
2013179654.tif 000016
【国際調査報告】
2013179654.tif 000017
2013179654.tif 000018